(57)【要約】【課題】デザイン性と操作性とを両立させることができる水栓装置を提供する。【解決手段】本発明の水栓装置１は、壁面６から引き出し可能な吐水ヘッド１４と、この吐水ヘッドと共に引き出し可能な給水用ホース２４と、壁面から前方に突出して設けられて、その下方に吐水ヘッドが収納される棚部１２と、機能部を操作する操作部１８と、を有し、棚部は、上側棚領域Ｓ１と、下側棚領域Ｓ２と、を備えており、吐水ヘッドは、収納時には、棚部の上側棚領域内及び下側棚領域内の双方に亘って設けられている収納部Ｓ３の収納位置に収納されて、吐水ヘッドの前方及び側方の少なくとも一部が棚部により覆われており、吐水ヘッドは、収納位置Ｐ１の吐水ヘッドを壁面から引き出す際に、吐水ヘッドの少なくとも前方且つ上端部分Ｔが上側棚領域内からその下方の領域外に移動することにより収納位置から引き出し可能な位置まで移動可能である。【選択図】図３
2019148063.tif 000002
【特許請求の範囲】
【請求項１】
ボウルよりも上方に立ち上がる壁面に設けられる水栓装置であって、
洗浄水を吐水する吐水口が形成され、上記壁面から引き出し可能な吐水ヘッドと、
一端が上記壁面の裏側で給水源に接続されていると共に、他端が上記壁面の開口を介して上記吐水ヘッドに接続されて上記吐水ヘッドと共に引き出し可能な給水用のホースと、
上記壁面から前方に突出して設けられて、その下方に上記吐水ヘッドが収納される棚部と、
機能部を操作する操作部と、を有し、
上記棚部は、前方側から後方側に向って上方に傾斜する傾斜面又は鉛直面を前方側に備えており且つ上記操作部が配置される上側棚領域と、この上側棚領域の下方に設けられて前方側から後方側に向って下方に傾斜する傾斜面を備えている下側棚領域と、を備えており、
上記吐水ヘッドは、収納時には、上記棚部の上側棚領域内及び下側棚領域内の双方に亘って設けられている収納部の収納位置に収納されて、上記吐水ヘッドの前方及び側方の少なくとも一部が上記棚部により覆われており、
上記吐水ヘッドは、上記収納位置の吐水ヘッドを上記壁面から引き出す際に、上記吐水ヘッドの少なくとも前方且つ上端部分が上記上側棚領域内からその下方の領域外に移動することにより上記収納位置から引き出し可能な位置まで移動可能であることを特徴とする水栓装置。
【請求項２】
上記吐水ヘッドは、上記収納位置に収納された状態で上記下側棚領域の外部に突出する突出部を備えており、上記棚部の下側棚領域の傾斜面における上記突出部の周辺領域は、上記吐水ヘッドの突出部が掴み易くなるように凹状に形成されている請求項１記載の水栓装置。
【請求項３】
上記棚部は、上記収納位置の上記吐水ヘッドの前方且つ上方に設けられて被検知物の有無を検知する検知部を備え、上記吐水ヘッドは、上記検知部の検知に基づいて上記吐水口における吐止水を自動で実行可能に構成され、
上記棚部の下側棚領域の傾斜面における上記収納位置の上記吐水ヘッドの突出部の左右方向近傍の領域は、上記吐水ヘッドの突出部が掴み易くなるように凹状に形成されたガイド面を備えている請求項２記載の水栓装置。
【請求項４】
上記吐水ヘッドの突出部は、上記収納位置に収納された状態で左右方向に突出する突起部を備えている請求項２又は３に記載の水栓装置。
【請求項５】
請求項１乃至４の何れか１項に記載の水栓装置と、この水栓装置の上記吐水ヘッドから吐水されるボウルと、を備えた洗面化粧台。
【発明の詳細な説明】
【技術分野】
【０００１】
本発明は、水栓装置、及び、それを備えた洗面化粧台に関し、特に、ボウルよりも上方に立ち上がる壁面に設けられる水栓装置、及び、それを備えた洗面化粧台に関する。
【背景技術】
【０００２】
従来から、ボウルよりも上方に立ち上がる壁面に設けられる水栓装置及びそれを備えた洗面化粧台として、例えば、特許文献１に記載されているように、壁面から前方に突出して形成される棚部と、この棚部の下方に設けられ、吐水部の上方及び前方の少なくとも一部を覆うように収納する収納部と、を備えた水栓装置が知られている。
このような水栓装置は、吐水部の全体が使用者から見えず、さらにデザイン性がよい。  また、棚部の上面に小物を置くことができるため、例えば、洗顔の際などに、使用者が眼鏡や化粧品等の小物を置く、いわゆる「ちょい置き動作」を、棚部の上面を使って行うことができ、使用者の使い勝手がよい。
しかしながら、上述した特許文献１に記載されている従来の水栓装置においては、吐水部を棚部で十分に覆い隠そうとする程、その分、棚部の厚みが厚くなり、デザイン性が低下してしまうという問題がある。
そこで、正面側から見た棚部の厚みについて可能な限り薄く見せ易くするために、棚部の前端且つ下端から後方に向けて下方に傾斜する傾斜面にすることが想定される。
その一方で、棚部自体に種々の機能部が設けられた場合には、使用者がその機能部を操作する操作部が分かり易く、操作がし易いように、各種操作部を棚部に設けることが好ましい。
しかしながら、各種操作部が棚部の上面等に設けられた場合には、「ちょい置き動作」の邪魔になったり、棚部の上面に物を置いている場合には、操作部自体を操作することができなくなったりするという問題もある。
したがって、使用者による操作部の操作性を考慮した場合には、各種操作部を棚部の前面に設けることが好ましい。
また、正面側から見た棚部の厚みについて可能限り薄く見せ易くするために、棚部の前端且つ下端から後方に向けて下方に傾斜する傾斜面にした場合には、棚部の前面自体が狭くなり、棚部の前面に各種操作部が設けられなくなるため、棚部の前面以外の下方の傾斜面等に操作部が設けられることになる。このため、使用者から棚部の傾斜面に設けられた操作部が見え難くなるため、操作がし難くなるという問題もある。
したがって、使用者側から操作部が見え易く、操作部のより良い操作性を考慮した場合、操作部が棚部の前方側の鉛直面に設けられるか、若しくは、前方側から後方側に向って上方に傾斜する傾斜面に設けられることが好ましい。
そこで、特許文献２に記載されている従来の水栓装置のように、各種操作部が棚部の上カバー及び下カバーの双方の前面に亘って設けられていると共に、吐水部（スパウト）自体も上下カバー内の双方の領域内に設けられ、デザイン性と操作部の操作性の両立が図られているものも知られている。
【先行技術文献】
【特許文献】
【０００３】
【特許文献１】特開２００３−１８４１３９号公報
【特許文献２】特開２０１６−１７６３０４号公報
【発明の概要】
【発明が解決しようとする課題】
【０００４】
しかしながら、上述した特許文献１、２に記載されている従来の水栓装置において、吐水部（吐水ヘッド）を引き出し操作可能にする、いわゆる、「プルアウト式の水栓装置」とした場合には、吐水ヘッドが棚部に配置されている領域が、操作部が配置されている棚部の領域と重なり合うことになる。
したがって、吐水ヘッドを引き出す際には、吐水ヘッドが操作部と干渉して引き出すことができず、操作性が低下するという問題がある。
また、吐水ヘッドを操作部と干渉しないように引き出そうとすると、棚部の前出寸法が大きくなるという問題や、棚部の前面等において吐水ヘッドを引き出し可能にするための切欠き部や通路等を特別に設ける必要があり、デザイン性が低下するという問題もある。
【０００５】
そこで、本発明は、上述した従来技術の問題を解決するためになされたものであり、デザイン性と操作性とを両立させることができる水栓装置、及び、それを備えた洗面化粧台を提供することを目的としている。
【課題を解決するための手段】
【０００６】
上述した課題を解決するために、本発明は、ボウルよりも上方に立ち上がる壁面に設けられる水栓装置であって、洗浄水を吐水する吐水口が形成され、上記壁面から引き出し可能な吐水ヘッドと、一端が上記壁面の裏側で給水源に接続されていると共に、他端が上記壁面の開口を介して上記吐水ヘッドに接続されて上記吐水ヘッドと共に引き出し可能な給水用ホースと、上記壁面から前方に突出して設けられて、その下方に上記吐水ヘッドが収納される棚部と、機能部を操作する操作部と、を有し、上記棚部は、前方側から後方側に向って上方に傾斜する傾斜面又は鉛直面を前方側に備えており且つ上記操作部が配置される上側棚領域と、この上側棚領域の下方に設けられて前方側から後方側に向って下方に傾斜する傾斜面を備えている下側棚領域と、を備えており、上記吐水ヘッドは、収納時には、上記棚部の上側棚領域内及び下側棚領域内の双方に亘って設けられている収納部の収納位置に収納されて、上記吐水ヘッドの前方及び側方の少なくとも一部が上記棚部により覆われており、上記吐水ヘッドは、上記収納位置の吐水ヘッドを上記壁面から引き出す際に、上記吐水ヘッドの少なくとも前方且つ上端部分が上記上側棚領域内からその下方の領域外に移動することにより上記収納位置から引き出し可能な位置まで移動可能であることを特徴としている。
このように構成された本発明においては、吐水ヘッドが、収納時には、棚部の上側棚領域内及び下側棚領域内の双方に亘って設けられている収納部の収納位置に収納されており、この吐水ヘッドの前方及び側方の少なくとも一部が棚部により覆われている。これにより、機能部を操作する操作部が棚部の上側棚領域に配置されていたとしても、吐水ヘッドが収納部の収納位置に収納された状態の棚部において、上側棚領域と下側棚領域とを含めた厚み全体を抑制することができる。
また、棚部の下側棚領域の傾斜面が前方側から後方側に向って下方に傾斜していることにより、正面側から見た棚部の下側棚領域の厚みを薄く見せ易くすることができるため、棚部の上側棚領域と下側棚領域とを含めた厚み全体を抑制することができる。
さらに、収納位置の吐水ヘッドが、棚部の上側棚領域内及び下側棚領域内の双方に亘って収納されていても、収納位置の吐水ヘッドを壁面から引き出す際に、吐水ヘッドの少なくとも前方且つ上端部分を棚部の上側棚領域内からその下方の領域外に移動させることにより収納位置から引き出し可能な位置まで移動可能である。このため、棚部の前出寸法を抑制することができ、さらに、棚部の上側棚領域の前方側の鉛直面又は傾斜面において、吐水ヘッドを引き出し可能にするための切欠き部や通路等を特別に設ける必要もない。
また、吐水ヘッドは、収納時には、棚部の上側棚領域内及び下側棚領域内の双方に亘って設けられている収納部の収納位置に収納されて、吐水ヘッドの前方及び側方の少なくとも一部が棚部により覆われている。さらに、吐水ヘッドは、収納位置の吐水ヘッドを壁面から引き出す際に、吐水ヘッドの少なくとも前方且つ上端部分が上側棚領域内からその下方の領域外に移動することにより収納位置から引き出し可能な位置まで移動可能である。これらにより、棚部の下側棚領域の傾斜面から突出させた構成の吐水ヘッドに比べて、棚部に対する吐水ヘッドの突出量を低減させることができる。
したがって、収納位置に収納された状態の吐水ヘッドについて、棚部の正面側から目立ち難くすることができるため、装置全体のデザイン性も向上させることができる。
さらに、引き出し可能な位置の吐水ヘッドを壁面から引き出す際には、吐水ヘッドを棚部の上側棚領域の前方の鉛直面又は傾斜面に干渉させることなく、確実且つスムーズな引き出し操作を行うことができる。
これらの結果、デザイン性と操作性とを両立させることができる水栓装置を提供することができる。
【０００７】
本発明において、好ましくは、上記吐水ヘッドは、上記収納位置に収納された状態で上記下側棚領域の外部に突出する突出部を備えており、上記棚部の下側棚領域の傾斜面における上記突出部の周辺領域は、上記吐水ヘッドの突出部が掴み易くなるように凹状に形成されている。
このように構成された本発明においては、例えば、本発明以外の水栓装置において、使用者が吐水ヘッドの引き出し操作を行う際、一般的には、棚部に対する吐水ヘッドの突出量が大きい程、吐水ヘッドが掴み易くなるため、引き出し操作を行い易くなる一方、棚部の正面側から吐水ヘッドが目立ち易くなるため、デザイン性が損なわれてしまう恐れがある。
これに対し、本発明においては、吐水ヘッドが、収納位置に収納された状態で棚部の下側棚領域の外部に突出する突出部を備えており、棚部の下側棚領域の傾斜面における吐水ヘッドの突出部の周辺領域が、吐水ヘッドの突出部が掴み易くなるように凹状に形成されている。
これにより、棚部に対する収納位置の吐水ヘッドの突出量を抑制することができると共に、吐水ヘッドを壁面から引き出すために収納位置の吐水ヘッドを引き出し可能位置に移動させる操作を行う際に、使用者が吐水ヘッドの突出部を掴み易いため、操作性を向上させることができる。
【０００８】
本発明において、好ましくは、上記棚部は、上記収納位置の上記吐水ヘッドの前方且つ上方に設けられて被検知物の有無を検知する検知部を備え、上記吐水ヘッドは、上記検知部の検知に基づいて上記吐水口における吐止水を自動で実行可能に構成され、
上記棚部の下側棚領域の傾斜面における上記収納位置の上記吐水ヘッドの突出部の左右方向近傍の領域は、上記吐水ヘッドの突出部が掴み易くなるように凹状に形成されたガイド面を備えている。
このように構成された本発明においては、被検知物の有無を検知する検知部が、収納位置の吐水ヘッドの前方且つ上方の棚部に設けられているため、吐水ヘッドの周辺に差し出された被検知物を確実に検知することができる。
また、棚部の下側棚領域の傾斜面における収納位置の吐水ヘッドの突出部の左右方向近傍の領域のガイド面が、吐水ヘッドの突出部が掴み易くなるように凹状に形成されている。これにより、使用者が、吐水ヘッドを壁面から引き出すために収納位置の吐水ヘッドを引き出し可能位置に移動させる操作や引き出し可能位置の吐水ヘッドを引き出す操作等の吐水ヘッドの種々の操作を行う際に、使用者の手指をガイド面に沿って吐水ヘッドの突出部の左右方向に誘導し易くすることができる。
したがって、吐水ヘッドの操作中の使用者の手が、意に反して吐水ヘッドの前方且つ上方の検知部の検知範囲で検知されることにより吐水ヘッドの吐水口から誤って吐水される、いわゆる、誤吐水を抑制することができる。
【０００９】
本発明において、好ましくは、上記吐水ヘッドの突出部は、上記収納位置に収納された状態で左右方向に突出する突起部を備えている。
このように構成された本発明においては、吐水ヘッドの突出部が収納位置に収納された状態で左右方向に突出する突起部を備えているため、吐水ヘッドの操作中に突起部を掴むことにより、吐水ヘッドの突出部をより掴み易くすることができ、操作性をより向上させることができる。
【００１０】
また、本発明は、上記水栓装置と、この水栓装置の吐水ヘッドから吐水されるボウルと、を備えた洗面化粧台である。
このように構成された本発明においては、デザイン性と操作性とを両立させることができる水栓装置を備えた洗面化粧台を提供することができる。
【発明の効果】
【００１１】
本発明の水栓装置、及び、それを備えた洗面化粧台によれば、デザイン性と操作性とを両立させることができる。
【図面の簡単な説明】
【００１２】
【図１】本発明の第１実施形態による水栓装置を備えた洗面化粧台の概略斜視図である。
【図２】本発明の第１実施形態による水栓装置の概略正面図である。
【図３】図２のＩＩＩ−ＩＩＩ線に沿った水栓装置の断面図であり、吐水ヘッドが棚部の収納位置に収納された状態を示す。
【図４】図３と同様な本発明の第１実施形態による水栓装置の断面図であり、吐水ヘッドが引出可能位置に設定された状態を示す。
【図５】本発明の第１実施形態による水栓装置の分解斜視図である。
【図６】図５のＶＩ−ＶＩ線に沿った断面図であり、引き出し前の状態の収納位置の吐水ヘッドを保持する保持部材が固定部材の第１固定位置に固定されている状態の正面断面図である。
【図７】図５に示す本発明の第１実施形態による水栓装置の固定部材の一方の固定位置切替部を拡大した部分拡大図である。
【図８】本発明の第１実施形態による水栓装置における固定部材と保持部材の側面図であり、収納位置の吐水ヘッドを保持する保持部材が固定部材の第１固定位置に固定されている状態を示す。
【図９】本発明の第１実施形態による水栓装置における固定部材と保持部材の側面図であり、引出可能位置の吐水ヘッドを保持する保持部材が固定部材の第２固定位置に固定されている状態を示す。
【図１０】図２に示す本発明の第１実施形態による水栓装置の吐水ヘッド部分を拡大した拡大図である。
【図１１】図１０のＸＩ−ＸＩに沿った断面図であり、吐水ヘッドを省略した状態を示す。
【図１２】図１０のＸＩＩ−ＸＩＩに沿った断面図であり、吐水ヘッドを省略した状態を示す。
【図１３】本発明の第２実施形態による水栓装置の概略側面断面図である。
【発明を実施するための形態】
【００１３】
以下、添付図面を参照して、本発明の第１実施形態による水栓装置、及び、それを備えた洗面化粧台について説明する。
まず、図１は、本発明の第１実施形態による水栓装置を備えた洗面化粧台の概略斜視図である。
図１に示すように、本発明の第１実施形態による水栓装置１は、洗面化粧台２のボウル４から上方に立ち上がる壁面６に設けられている。
洗面化粧台２は、ボウル４と、このボウル４の下方に設けられた下部キャビネット８と、水栓装置１の上方に配置された上部キャビネット１０と、を備えている。
なお、下部キャビネット８の内部には、水道水の吐水、停止を切り換える電磁弁（図示せず）等の機器が収納されている。また、上部キャビネット１０の前面には、鏡が取り付けられている。
ここで、本実施形態の水栓装置１では、洗面化粧台２のボウル４から上方に立ち上がる壁面６として、図１に示すように、ボウル４の後壁面から一体的に上方に立ち上がる壁面（ボウル４と一体型の壁面）に適用した形態について説明するが、このような形態に限られず、ボウル４の後部且つ上方に別体で設けられたパネル等の壁面に適用した形態であってもよい。要するに、ボウル４よりも上方に立ち上がる壁面であれば、ボウル４に対して一体的に形成された壁面であってもよいし、別体で設けられた壁面であってもよい。
【００１４】
つぎに、図２は、本発明の第１実施形態による水栓装置の概略正面図である。また、図３は、図２のＩＩＩ−ＩＩＩ線に沿った水栓装置の断面図である。
図１〜図３に示すように、水栓装置１は、棚部１２、吐水ヘッド１４、操作ハンドル１６、複数のタッチスイッチ１８、及び、人体検知センサ２０等を備えている。
【００１５】
まず、図１〜図３に示すように、棚部１２は、壁面６の上下方向のほぼ中間位置に設けられている。そして、棚部１２は、壁面６から前方に突出し、正面側から見て上下方向の幅（縦幅）よりも左右方向の幅（横幅）が長い概ね扁平の直方体形状に形成されている。
また、図１〜図３に示すように、棚部１２の上面は平面状に形成されている。これにより、例えば、使用者がボウル４内で洗顔動作等の際に、身に着けている眼鏡や腕時計、化粧品等の小物を棚部１２の上面に置くことができるようになっている。
さらに、図３に示すように、棚部１２は、詳細については後述するが、その内部において上側棚領域Ｓ１及び下側棚領域Ｓ２のそれぞれを上下方向に備えている。
【００１６】
つぎに、図２及び図３に示すように、吐水ヘッド１４は、詳細については後述するが、棚部１２の内部の左右中央付近に設けられた収納部（収納スペースＳ３）内の所定の収納位置Ｐ１に着脱可能に収納されている。
すなわち、図３に示す水栓装置１においては、吐水ヘッド１４が収納スペースＳ３内の収納位置Ｐ１にある引き出し前の状態を示す。
本実施形態の水栓装置１では、吐水ヘッド１４について所定の手動操作（詳細は後述する）を行うことにより、棚部１２に対して引き出した状態で使用可能な、いわゆる、「プルアウト式のスパウト（吐水ヘッド）」として機能するようになっている。
なお、プルアウト式の吐水ヘッド１４の構造の詳細については後述する。
また、図２及び図３に示すように、吐水ヘッド１４は、その前端且つ下端に吐水口２２が設けられている。ボウル４内で洗面や手洗い等に使用する水道水は、この吐水口２２によりボウル４に向けて吐水されるようになっている。
【００１７】
つぎに、図２に示すように、操作ハンドル１６は、棚部１２に内蔵された機能部である流調・温調バルブ（図示せず）等に連結されている。この操作ハンドル１６について、前後方向に操作することにより吐水ヘッド１４から吐出される湯水の流量を調整することができると共に、左右方向に操作することにより湯水の温度を調整することができるようになっている。これにより、操作ハンドル１６は、いわゆる、「シングルレバー水栓」の「シングルレバー（操作レバー）」として機能することができるようになっている。
【００１８】
つぎに、図２に示すように、複数のタッチスイッチ１８は、棚部１２の前面１２ａに設けられており、例えば、吐水ヘッド１４が棚部１２から引き出されている状態においてタッチスイッチ１８を手動で操作することができるようになっている。これらのタッチスイッチ１８の手動操作により、流調・温調バルブ（図示せず）等の各種機能部を操作することができ、吐水ヘッド１４を吐水状態又は止水状態のいずれかの状態に切り換え操作が可能となっている。
なお、タッチスイッチ１８が操作可能とする各種機能部としては、棚部１２に内蔵されている流調・温調バルブ（図示せず）以外の機能部であってもよく、例えば、自動水栓の自動モードと手動モードを切り替えるための機能部であってもよいし、水道水を電気分解して得られる電解水等の除菌作用を有する機能水を吐出するための機能部であってもよい。或いは、鏡が取り付けられた上部キャビネット１０に設けられたＬＥＤ照明等の洗面化粧台２の付属機器（図示せず）等に関連する機能部であってもよい。
【００１９】
つぎに、図２及び図３に示すように、人体検知センサ２０は、棚部１２の前面１２ａの左右方向中央部の裏側に設けられた機能部の一部であり、収納位置Ｐ１の吐水ヘッド１４の前方且つ上方に設けられている。
また、この人体検知センサ２０の下面は、前方斜め下方に差し向けられた状態で露出している。この人体検知センサ２０により、吐水ヘッド１４の吐水口２２の下方付近に接近する手指等の被検知物の有無を検知することができるようになっている。
さらに、棚部１２等には、吐水ヘッド１４の吐水口２２からの自動吐水を制御するコントローラ（図示せず）が内蔵されており、このコントローラ（図示せず）が、人体検知センサ２０が検知した信号に基づいて、吐水ヘッド１４の吐水口２２からの自動吐水を制御することができるようになっている。
なお、本実施形態においては、人体検知センサ２０として赤外線式のセンサを採用した例について説明するが、赤外線式のセンサ以外にも、マイクロ波式センサ等、他の種類の非接触タイプのセンサを採用してもよい。
【００２０】
つぎに、図２〜図１０を参照して、本実施形態の水栓装置１のプルアウト式の吐水ヘッド１４の構造について具体的に説明する。
図４は、図３と同様な本発明の第１実施形態による水栓装置の断面図であり、吐水ヘッドが引出可能位置に設定された状態を示す。
まず、図２〜図４に示すように、棚部１２は、その内部において上側棚領域Ｓ１及び下側棚領域Ｓ２のそれぞれを上下方向に備えている。
また、図２〜図４に示すように、棚部１２の上側棚領域Ｓ１は、その前端側にほぼ鉛直方向に延びた前面１２ａ（鉛直面）を備えている。
さらに、図２〜図４に示すように、棚部１２の上側棚領域Ｓ１は、その前面１２ａ（鉛直面）に対して、人体検知センサ２０よりも後方に傾斜面１２ｂを備えている。この傾斜面１２ｂは、前方側から後方側に向って上方に傾斜している。
【００２１】
一方、図２〜図４に示すように、棚部１２の下側棚領域Ｓ２は、その下方に傾斜面１２ｃを備えている。この傾斜面１２ｃは、その前端且つ上端が棚部１２の上側棚領域Ｓ１の前面１２ａの下端付近に位置しており、前方側から後方側に向って下方に傾斜する傾斜面を形成している。
また、図２及び図３に示すように、棚部１２の内部には、引き出し前の状態の吐水ヘッド１４が収納される収納部（以下「収納スペースＳ３」）が設けられている。この収納スペースＳ３（収納部）は、棚部１２の上側棚領域Ｓ１内及び下側棚領域Ｓ２内の双方に亘って設けられている。
【００２２】
さらに、図２〜図４に示すように、棚部１２の収納スペースＳ３の下方は、吐水ヘッド１４を収納位置Ｐ１から取り出し可能に開放されている。
したがって、図３及び図４に示すように、吐水ヘッド１４については、収納スペースＳ３から引き出す際に、詳細は後述する所定の手動操作を行うことにより、収納スペースＳ３内の収納位置Ｐ１（図３参照）から収納スペースＳ３の外部の引出可能な位置（図４に示す「引出可能位置Ｐ２」）まで下方に傾斜可能にする構造となっている。
すなわち、図３及び図４に示すように、吐水ヘッド１４は、詳細は後述するが、壁面６に対する引き出し操作を行う前に、予め収納位置Ｐ１から引出可能位置Ｐ２まで移動させた後に、引き出し操作が可能となっている。
ここで、図２及び図３に示すように、収納スペースＳ３の収納位置Ｐ１に収納された状態の吐水ヘッド１４においては、その下面以外の大部分（吐水ヘッド１４の前面の一部、上面、並びに、両側面の一部）が棚部１２の収納スペースＳ３内の傾斜面１２ｂ、天面１２ｄ、側面１２ｅ（図４参照）により覆われている。
すなわち、図２及び図３に示すように、収納スペースＳ３内に収納されている状態の吐水ヘッド１４は、その下側部分と吐水口２２の部分のみが棚部１２から部分的に露出している状態となっている。
また、図３及び図４に示すように、吐水ヘッド１４は、給水用のホース２４を介して壁面６の裏側で水道や給湯器等の給水源（図示せず）に接続されている。
【００２３】
また、図３に示すように、収納位置Ｐ１の吐水ヘッド１４は、その長手方向が前後方向に水平に延びた姿勢となっている。これにより、吐水ヘッド１４をそのままの姿勢で前方に引き出そうとすると、吐水ヘッド１４がその前方の棚壁１２ａに接触してしまうため、引き出すことができないようになっている。
さらに、図３に示すように、収納位置Ｐ１の吐水ヘッド１４においては、この吐水ヘッド１４の外面が収納スペースＳ３内の傾斜面１２ｂ、天面１２ｄ、及び、側面１２ｅ等に接触しないようになっている。
また、図３及び図４に示すように、吐水ヘッド１４は、収納位置Ｐ１から引出可能位置Ｐ２に移動する際に、吐水ヘッド１４の後方側の固定部材２６の水平左右方向に延びる回動中心軸線Ａ１を中心に下方に回動可能となっているが、この回動中においても、吐水ヘッド１４の外面が収納スペースＳ３内の傾斜面１２ｂ、天面１２ｄ、及び、側面１２ｅ等に接触しないようになっている。
【００２４】
つぎに、図３〜図１０を参照して、本実施形態の水栓装置１のプルアウト式の吐水ヘッド１４について収納スペースＳ３内の収納位置Ｐ１から引出可能位置Ｐ２まで傾斜可能にする構造について具体的に説明する。
まず、図５は、本発明の一実施形態による水栓装置の分解斜視図である。
図５に示すように、水栓装置１の基本構造として、壁面６の表側から前方に向かって、固定部材２６、保持部材２８、及び、吐水ヘッド１４がそれぞれ設けられている。
【００２５】
図３〜図５に示すように、固定部材２６は、壁面６の開口６ａに挿入された状態で複数のねじ部材３０によって固定されている。この固定部材２６は、詳細は後述する保持部材２８を介して、引き出し前の状態の吐水ヘッド１４を収納スペースＳ３内に固定することができるようになっている。
また、図３〜図５に示すように、保持部材２８は、樹脂製の本体３２と、ホースガイド３４と、複数の止め輪３６，３８と、を備えている。
まず、図３〜図５に示すように、樹脂製の本体３２は、詳細は後述するが、固定部材２６に対して固定／固定解除可能に設けられている。
【００２６】
図３〜図５に示すように、ホースガイド３４は、概ね円筒状に形成されており、その外側の複数の止め輪３６，３８によって本体３２の内部に固定されている。このホースガイド３４は、その内周側でホース２４を摺動可能に保持している。これにより、吐水ヘッド１４の引き出し時及び引き戻し時には、ホース２４をホースガイド３４のガイド穴ｈ１に沿って安定してガイドすることができるようになっている。
また、ホースガイド３４は、ホース２４の外周面とこれと対向する保持部材２８の本体３２の内周面との間の隙間を塞ぐように配置されているため、水が浸入することを抑制する水浸入抑制部材としても機能するようになっている。例えば、吐水ヘッド１４及びホース２４が引き出された状態で吐水ヘッド１４側からホース２４の表面を伝わった水滴は、ホースガイド３４で阻止されるため、保持部材２８の本体３２の内部や固定部材２６の内部、さらに、壁面６の裏側にほとんど浸入することができないようになっている。
【００２７】
つぎに、図６は、図５のＶＩ−ＶＩ線に沿った水栓装置の断面図である。
まず、図５及び図６に示すように、保持部材２８の本体３２は、円筒部３２ａと、側壁部３２ｂ，３２ｂと、一対の回動部３２ｃ，３２ｃとを備えている。
まず、図５及び図６に示すように、本体３２の円筒部３２ａは、本体３２のほぼ中央部を前後方向に延びるようにほぼ円筒状に形成されている。
つぎに、図５及び図６に示すように、本体３２の側壁部３２ｂ，３２ｂは、円筒部３２ａの左右両側に所定間隔を置いて設けられている。
また、図５及び図６に示すように、本体３２の一対の回動部３２ｃ，３２ｃは、各側壁部３２ｂ，３２ｂの後端から後方側に突出し、かつ、円筒部３２ａの左右両側に所定間隔を置いて設けられている。
【００２８】
つぎに、図５及び図６に示すように、固定部材２６は、一対の固定位置切替部２６ａ，２６ａと、一対の回動取付部２６ｂ，２６ｂと、を備えている。
一対の固定位置切替部２６ａ，２６ａは、固定部材２６に対する保持部材２８の本体３２の固定位置を切り替え可能にするものである。
なお、本実施形態の水栓装置１の固定部材２６に対する保持部材２８の本体３２の固定位置を切り替え可能にする構造の詳細については後述する。
また、図５及び図６に示すように、一対の固定位置切替部２６ａ，２６ａは、固定部材２６の前面から前方に突出した突出部に設けられている。そして、これら一対の固定位置切替部２６ａ，２６ａ同士の間には、保持部材２８の本体３２の円筒部３２ａが嵌め込まれている。
さらに、図５及び図６に示すように、各固定位置切替部２６ａ，２６ａとその外側の固定部材２６の内壁面２６ｃとの間には、保持部材２８の本体３２の各側壁部３２ｂ，３２ｂ及び各回動部３２ｃ，３２ｃが嵌め込まれている。そして、保持部材２８の本体３２の各回動部３２ｃ，３２ｃは、固定部材２６の各回動取付部２６ｂ，２６ｂの内面（内壁面２６ｃ）に対してピボットピン４０によって回動可能に取り付けられている。
【００２９】
図３、図５及び図６に示すように、保持部材２８の本体３２が固定部材２６に取り付けられた状態では、保持部材２８の本体３２の円筒部３２ａ内及びホースガイド３４内のガイド穴ｈ１（図５及び図６参照）の中心を通る前後方向の中心軸線Ａ２が、固定部材２６を前後方向に貫くガイド穴ｈ２（図５参照）の中心を通る前後方向の中心軸線Ａ２と一致している。
さらに、図３〜図６に示すように、吐水ヘッド１４及びホース２４を保持している状態の保持部材２８（本体３２及びホースガイド３４）については、吐水ヘッド１４の後方側の固定部材２６の水平左右方向に延びる回動中心軸線Ａ１を中心に下方に回動可能となっている。
なお、吐水ヘッド１４の回動中心軸線Ａ１は、固定部材２６の各回動取付部２６ｂ，２６ｂの中心を通る水平左右方向に延びる中心軸線Ａ１に一致すると共に、保持部材２８の本体３２の各回動部３２ｃ，３２ｃの中心を通る左右方向に延びる回転中心軸線Ａ３とも一致している。
【００３０】
つぎに、図５〜図９を参照して、本実施形態の水栓装置１の固定部材２６に対する保持部材２８の本体３２の固定位置を切り替え可能にする構造について具体的に説明する。
図７は、図５に示す本発明の一実施形態による水栓装置の固定部材の一方の固定位置切替部を拡大した部分拡大図である。
また、図８は、本発明の一実施形態による水栓装置における固定部材と保持部材の側面図であり、収納位置の吐水ヘッドを保持する保持部材が固定部材の第１固定位置に固定されている状態を示す。
さらに、図９は、本発明の一実施形態による水栓装置における固定部材と保持部材の側面図であり、収納位置から下方に傾斜された引出可能位置の吐水ヘッドを保持する保持部材が固定部材の第２固定位置に固定されている状態を示す。
【００３１】
まず、図６〜図９に示すように、固定部材２６の各固定位置切替部２６ａは、２つの第１凹部４２及び第２凹部４４と、平行ピン４６と、を備えている。
第１凹部４２及び第２凹部４４のそれぞれは、各固定位置切替部２６ａの外側面にほぼ半球面状に形成されており、互いに上下方向に所定間隔を置いて配置されている。
つぎに、図６〜図９に示すように、平行ピン４６は、各固定位置切替部２６ａの第１凹部４２と第２凹部４４との間に設けられている。この平行ピン４６は、保持部材２８の樹脂製の本体３２よりも剛性のあるステンレス（例えば、ＳＵＳ３０４）等の金属製である。
また、各平行ピン４６は、その大半が各固定位置切替部２６ａに埋め込まれているが、外側表面が各固定位置切替部２６ａの外側面から露出して弧状の凸部を形成している。これにより、各平行ピン４６は、保持部材２８の傾斜をある程度規制することができるようになっている。
【００３２】
一方、図５〜図９に示すように、保持部材２８の本体３２の各側壁部３２ｂには、左右方向に貫く単一のボール取付穴３２ｄがそれぞれ形成されている。そして、各ボール取付穴３２ｄには、ステンレス（例えば、ＳＵＳ３０４）等の金属製のボール４８がそれぞれ嵌め込まれている。
また、図５〜図９に示すように、各ボール４８の外側は、保持部材２８の本体３２の各側壁部３２ｂに取り付けられたボール押え部材５０によって保持されている。このボール押え部材５０は、前後方向から見て概ねＵ字状に形成されており、保持部材２８の本体３２の側壁部３２ｂの外側面と固定部材２６の内壁面２６ｃとの間で保持されている。そして、ボール押え部材５０の下部は、一対のねじ部材５２，５２によって保持部材２８の本体３２の下部に固定されている。
さらに、図６に示すように、ボール押え部材５０によって保持されている状態の各ボール４８は、各固定位置切替部２６ａの外側面に向かって各ボール取付穴３２ｄから内側に突出した状態が維持されている。これにより、各ボール４８は、固定部材２６に対する保持部材２８の本体３２の回動状態に応じて、第１凹部４２に嵌合したり、第１凹部４２と第２凹部４４との間の平行ピン４６を乗り越えて第２凹部４４に嵌合したりすることができるようになっている。
【００３３】
ここで、図３、図６及び図８に示す本実施形態の水栓装置１では、各ボール４８が固定部材２６の各固定位置切替部２６ａの第１凹部４２に嵌合され、保持部材２８の本体３２が固定部材２６の第１固定位置Ｑ１に固定されている状態を示している。この状態では、図３に示すように、第１固定位置Ｑ１に固定されている保持部材２８（本体３２及びホースガイド３４）により、引き出し前の状態の吐水ヘッド１４及びホース２４が収納位置Ｐ１で保持されている状態となっている。
また、この状態では、図３、図６及び図８に示すように、保持部材２８の本体３２の円筒部３２ａの中心軸線Ａ２が、固定部材２６の前後方向の中心軸線Ａ２と一致している。
【００３４】
一方、図４及び図９に示す本実施形態の水栓装置１では、各ボール４８が固定部材２６の各固定位置切替部２６ａの第２凹部４４に嵌合され、保持部材２８の本体３２が固定部材２６の第２固定位置Ｑ２に固定されている状態を示している。この状態では、図４に示すように、第２固定位置Ｑ２に固定されている保持部材２８（本体３２及びホースガイド３４）により、吐水ヘッド１４及びホース２４が引出可能位置Ｐ２で保持されている状態となっている。
また、この状態では、図４及び図９に示すように、保持部材２８の本体３２の円筒部３２ａの中心軸線Ａ４が、固定部材２６の前後方向の中心軸線Ａ２に対して所定の傾斜角度αで下方に傾斜した状態となっている。
なお、保持部材２８の本体３２が第１固定位置Ｑ１から第２固定位置Ｑ２まで下方に傾斜した状態の傾斜角度αについては、１０°〜２０°に設定されることが好ましく、１５°〜１８°に設定されることがより好ましい。
【００３５】
さらに、図３、図４、図８及び図９に示すように、本実施形態の水栓装置１においては、収納位置Ｐ１の吐水ヘッド１４を収納スペースＳ３内から引き出す際に、使用者が吐水ヘッド１４の前端部等を把持した状態で、吐水ヘッド１４を下方に傾斜させて、収納スペースＳ３１の外部に取り出す操作が下向きの操作力（以下「傾斜操作力Ｆ１」）（図３参照）で行われるようになっている。
このような吐水ヘッド１４の取り出し操作により、保持部材２８（本体３２及びホースガイド３４）についても、第１固定位置Ｑ１から回転の中心軸線Ａ１，Ａ３回りに下方に回動し、平行ピン４６を乗り越えて、第２固定位置Ｑ２まで回動する操作が行われるようになっている。そして、吐水ヘッド１４は、収納スペースＳ３内の収納位置Ｐ１（図３参照）から引出可能位置Ｐ２（図４参照）まで下方に傾斜した状態となる。
すなわち、吐水ヘッド１４を下方に傾斜させる傾斜操作力Ｆ１により、第１固定位置Ｑ１の保持部材２８の本体３２のボール２４は、固定部材２６の第１凹部４２に嵌合している状態から外れ、固定部材２６に対する保持部材２８の本体３２の固定が一旦解除されるようになっている。その後、ボール２４は、保持部材２８の本体３２の下方への回動に伴って、固定部材２６の固定位置切替部２６ａの平行ピン４６を乗り越えた後、第２凹部４４に嵌まり込み、保持部材２８の本体３２が固定部材２６に対して第２固定位置Ｐ２に固定されるようになっている。
したがって、固定部材２６に対する保持部材２８の本体３２が第１固定位置Ｑ１又は第２固定位置Ｑ２のいずれかの固定位置に固定されている場合において、傾斜操作力Ｆ１よりも小さい操作力で操作を行ったとしても、保持部材２８の本体３２の固定位置は変更されることなく、操作前の固定状態が依然として維持されるようになっている。
【００３６】
ここで、図４及び図９に示すように、吐水ヘッド１４が収納スペースＳ３から取り出されて引出可能位置Ｐ２にある状態では、保持部材２８の本体３２のボール２４が固定部材２６の第２凹部４４に嵌合し、第２固定位置Ｑ２に固定されている状態となっている。
これにより、保持部材２８の本体３２が固定部材２６に対して第２固定位置Ｑ２で固定された状態が維持されたままで、引出可能位置Ｐ２の吐水ヘッド１４について安定した引き出し操作が可能な状態となっている。
【００３７】
つぎに、図４及び図９に示すように、本実施形態の水栓装置１においては、収納スペースＳ３１の外部に取り出された状態の引出可能位置Ｐ２の吐水ヘッド１４について、使用者が吐水ヘッド１４の前端部等を把持した状態で、保持部材２８の本体３２の円筒部３２ａの中心軸線Ａ４に沿って斜め前方且つ下方に操作力（以下「引出操作力Ｆ２」）（図４参照）で吐水ヘッド１４を引き出す操作が行われるようになっている。
この引出操作力Ｆ２による引き出し操作により、吐水ヘッド１４の後端の接続部１４ａ（図４参照）は、保持部材２８の本体３２の前端の接続部３２ｅ（図４参照）と接続した状態から解除されるようになっている。そして、吐水ヘッド１４は、保持部材２８の本体３２から切り離されて使用者によって自由な姿勢で使用可能になると共に、ホース２４は、吐水ヘッド１４と一体的にホースガイド３４のガイド穴ｈ１に沿って摺動することができるようになっている。
【００３８】
ちなみに、本実施形態の水栓装置１においては、図３に示す傾斜操作力Ｆ１と図４に示す引出操作力Ｆ２とについて、同一方向の力成分で大きさを比較した場合、引出操作力Ｆ２は、傾斜操作力Ｆ１よりも大きくなるように設定されている。
なお、傾斜操作力Ｆ１については、２［Ｎ］〜１０［Ｎ］に設定されていることが好ましく、６［Ｎ］〜８［Ｎ］に設定されていることがより好ましい。
また、引出操作力Ｆ２については、１５［Ｎ］〜３８［Ｎ］に設定されていることが好ましく、２０［Ｎ］〜２５［Ｎ］に設定されていることがより好ましい。
【００３９】
つぎに、図３及び図４に示す吐水ヘッド１４において、収納位置Ｐ１の吐水ヘッド１４の前方且つ上端の頂部を符号「Ｔ」で示す。
図３及び図４に示すように、吐水ヘッド１４においては、収納位置Ｐ１の吐水ヘッド１４を壁面６から引き出す際に、吐水ヘッド１４の少なくとも前方且つ上端部分（吐水ヘッド１４の頂部Ｔ）が棚部１２の上側棚領域Ｓ１内からその下方の領域外（下側棚領域Ｓ２内）に移動することにより、収納位置Ｐ１から引出可能位置Ｐ２まで移動可能となっている。
すなわち、収納位置Ｐ１から引出可能位置Ｐ２に移動した状態の吐水ヘッド１４の頂部Ｔは、棚部１２の上側棚領域Ｓ１内からその下方の領域外（下側棚領域Ｓ２内）に位置している。これにより、図４に示す引出可能位置Ｐ２の吐水ヘッド１４について引き出し操作を行った際には、吐水ヘッド１４と棚部１２とが接触することを防ぐことができるようになっている。
ここで、本実施形態の水栓装置１においては、図３及び図４に示すような側面視における吐水ヘッド１４の形状が、その前面から上面にかけて頂部Ｔの前後で屈曲するような形状となっており、吐水ヘッド１４の前方且つ上端部分（頂部Ｔ）が角部となっている。
しかしながら、本実施形態の水栓装置１に適用可能な吐水ヘッドの形状については、上述した吐水ヘッド１４のような形状に限られず、吐水ヘッドの前面から上面にかけて部分円弧状等で形成された曲面形状であってもよい。
要するに、本実施形態の水栓装置１においては、他の吐水ヘッドの形態として、種々の形状の吐水ヘッドを適用した場合であっても、この吐水ヘッドの前方且つ上端部分が上側棚領域Ｓ１内からその下方の領域外（下側棚領域Ｓ２内）に移動させるだけで、吐水ヘッドを壁面６から引き出すことができるようになっている。
【００４０】
また、図３に示すように、収納位置Ｐ１における吐水ヘッド１４の上面１４ｂと棚部１２の収納スペースＳ３内の天面１２ｄとの間には、隙間Ｇ０が形成されている。これにより、例えば、引出可能位置Ｐ２の吐水ヘッド１４を収納位置Ｐ１まで戻した際に、吐水ヘッド１４の上面１４ｂと棚部１２の収納スペースＳ３内の天面１２ｄとが接触しないようになっている。
【００４１】
つぎに、図１０は、図２に示す本発明の第１実施形態による水栓装置の吐水ヘッド部分を拡大した拡大図である。また、図１１は、図１０のＸＩ−ＸＩに沿った断面図であり、吐水ヘッドを省略した状態を示す。さらに、図１２は、図１０のＸＩＩ−ＸＩＩに沿った断面図であり、吐水ヘッドを省略した状態を示す。
まず、図３及び図１０に示すように、吐水ヘッド１４は、収納位置Ｐ１に収納された状態で棚部１２の下側棚領域Ｓ２の外部に突出する突出部Ｈを備えている。
また、図１０〜図１２に示すように、棚部１２の下側棚領域Ｓ２の傾斜面１２ｃにおける吐水ヘッド１４の突出部Ｈの周辺領域Ｓ４は、吐水ヘッド１４の突出部Ｈが掴み易くなるように凹曲面状に形成されている。
【００４２】
特に、図１０〜図１２に示すように、棚部１２の下側棚領域Ｓ２の傾斜面１２ｃにおける吐水ヘッド１４の突出部Ｈの周辺領域Ｓ４は、吐水ヘッド１４の突出部Ｈが掴み易くなるように凹状に形成されたガイド面Ｇ１，Ｇ２を備えている。
また、図１０に示すように、吐水ヘッド１４の突出部Ｈは、収納位置Ｐ１に収納された状態で左右方向に突出する突起部１４ｃを備えている。
さらに、図３及び図１０に示すように、人体検知センサ２０は、収納位置Ｐ１の吐水ヘッド１４の突出部Ｈの前方且つ上方に設けられている。
【００４３】
つぎに、図１〜図１０を参照して、上述した本発明の第１実施形態による水栓装置１における作用について説明する。
まず、本発明の第１実施形態による水栓装置１によれば、図３に示すように、吐水ヘッド１４が、収納時には、棚部１２の上側棚領域Ｓ１内及び下側棚領域Ｓ２内の双方に亘って設けられている収納部（収納スペースＳ３）の収納位置Ｐ１に収納されている。これにより、この吐水ヘッド１４の下面以外の大部分（吐水ヘッド１４の前面の一部、上面、並びに、両側面の一部）が棚部１２の収納スペースＳ３内の傾斜面１２ｂ、天面１２ｄ、側面１２ｅ（図４参照）により覆われている。
したがって、図２に示すように、各種機能部を操作する操作部（タッチスイッチ１８）が棚部１２の上側棚領域Ｓ１の前面ａに配置されていたとしても、吐水ヘッド１４が収納スペースＳ３の収納位置Ｐ１に収納された状態の棚部１２において、上側棚領域Ｓ１と下側棚領域Ｓ２とを含めた厚み全体（棚部１２の最下端から最上端までの上下方向の厚み等）を抑制することができる。
また、図２、図１１及び図１２に示すように、棚部１２の下側棚領域Ｓ２の傾斜面１２ｃが、前方側から後方側に向って下方に傾斜していることにより、正面側から見た棚部１２の下側棚領域Ｓ２の厚みを薄く見せ易くすることができるため、棚部１２の上側棚領域Ｓ１と下側棚領域Ｓ２とを含めた厚み全体を抑制することができる。
さらに、図３に示すように、収納位置Ｐ１の吐水ヘッド１４が、棚部１２の上側棚領域Ｓ１内及び下側棚領域Ｓ２内の双方に亘って収納されているため、収納位置Ｐ１の吐水ヘッド１４を壁面６から引き出す際に、吐水ヘッド１４の少なくとも前方且つ上端部分の頂部Ｔを棚部１２の上側棚領域Ｓ１内からその下方の領域外（下側棚領域Ｓ２内）に移動させるだけで、収納位置Ｐ１の吐水ヘッド１４を棚部１２の外部の引出可能位置Ｐ２まで容易に移動させることができる。
したがって、棚部１２の前出寸法を抑制することができ、さらに、棚部１２の上側棚領域Ｓ１の前方側の鉛直面（前面１２ａ）やその裏側の傾斜面１２ｂにおいて、吐水ヘッド１４を引き出し可能にするための切欠き部や通路等を特別に設ける必要もない。
また、図３に示すように、吐水ヘッド１４は、収納時には、棚部１２の上側棚領域Ｓ１内及び下側棚領域Ｓ２内の双方に亘って設けられている収納スペースＳ３の収納位置Ｐ１に収納されて、吐水ヘッド１４の前方及び側方の少なくとも一部が棚部１２により覆われている。さらに、吐水ヘッドは、収納位置Ｐ１の吐水ヘッド１４を壁面６から引き出す際に、吐水ヘッド１４の少なくとも前方且つ上端部分が上側棚領域Ｓ１内からその下方の領域外（下側棚領域Ｓ２内）に移動することにより収納位置Ｐ１から引出可能位置Ｐ２まで移動可能である。これらにより、棚部１２の下側棚領域Ｓ２の傾斜面１２ｃから突出させた構成の吐水ヘッドに比べて、棚部１２に対する吐水ヘッド１４の突出部Ｈの突出量を低減させることができる。
したがって、収納位置Ｐ１に収納された状態の吐水ヘッド１４について、棚部１２の正面側から目立ち難くすることができるため、水栓装置１の全体のデザイン性も向上させることができる。
さらに、引出可能位置Ｐ２の吐水ヘッド１４を壁面６から引き出す際には、吐水ヘッドの頂部Ｔ等を棚部１２の上側棚領域Ｓ１の前方側の鉛直面（前面１２ａ）の裏側の傾斜面１２ｂに干渉させることなく、確実且つスムーズな引き出し操作を行うことができる。
これらの結果、デザイン性と操作性とを両立させることができる水栓装置１を提供することができる。
【００４４】
また、本発明以外の水栓装置において、使用者が吐水ヘッドの引き出し操作を行う際、一般的には、棚部に対する吐水ヘッドの突出量が大きい程、吐水ヘッドが掴み易くなるため、引き出し操作を行い易くなる一方、棚部の正面側から吐水ヘッドが目立ち易くなるため、デザイン性が損なわれてしまう恐れがある。
これに対し、本実施形態の水栓装置１においては、図３及び図１０に示すように、吐水ヘッド１４が、収納位置Ｐ１に収納された状態で棚部１２の下側棚領域Ｓ２の外部に突出する突出部Ｈを備えている。
また、図１０〜図１２に示すように、棚部１２の下側棚領域Ｓ２の傾斜面１２ｃにおける吐水ヘッド１４の突出部Ｈの周辺領域Ｓ４が、吐水ヘッド１４の突出部Ｈが掴み易くなるように凹曲面状に形成されている。
これらにより、棚部１２に対する収納位置Ｐ１の吐水ヘッド１４の突出部Ｈの突出量を抑制することができると共に、吐水ヘッド１４を壁面６から引き出すために、収納位置Ｐ１の吐水ヘッド１４を引出可能位置Ｐ２に移動させる操作を行う際には、使用者が吐水ヘッド１４の突出部Ｈを掴み易いため、操作性を向上させることができる。
【００４５】
さらに、本実施形態による水栓装置１によれば、図３及び図１０に示すように、被検知物の有無を検知する検知部（人体検知センサ２０）が、収納位置Ｐ１の吐水ヘッド１４の突出部Ｈの前方且つ上方の棚部１２に設けられているため、吐水ヘッド１４の吐水口２２の周辺に差し出された手指等の被検知物を確実に検知することができる。
また、図１０〜図１２に示すように、棚部１２の下側棚領域Ｓ２の傾斜面１２ｃにおける収納位置Ｐ１の吐水ヘッド１４の突出部Ｈの左右方向近傍の領域のガイド面Ｇ１，Ｇ２が、吐水ヘッド１４の突出部Ｈが掴み易くなるように凹曲面状に形成されている。
これにより、使用者が、吐水ヘッド１４を壁面６から引き出すために、収納位置Ｐ１の吐水ヘッド１４を引出可能位置Ｐ２に移動させる操作や、引出可能位置Ｐ２の吐水ヘッド１４を引き出す操作等の吐水ヘッド１４の種々の操作を行う際に、使用者の手指をガイド面Ｇ１，Ｇ２に沿って吐水ヘッド１４の突出部Ｈの左右方向に誘導し易くすることができる。
したがって、吐水ヘッド１４の操作中の使用者の手が、意に反して吐水ヘッド１４の前方且つ上方の検知部（人体検知センサ２０）の検知範囲で検知されることにより吐水ヘッド１４の吐水口２２から誤って吐水される、いわゆる、誤吐水を抑制することができる。
【００４６】
さらに、本実施形態による水栓装置１によれば、図１０に示すように、吐水ヘッド１４の突出部Ｈが収納位置Ｐ１に収納された状態で左右方向に突出する突起部１４ｃを備えている。これにより、吐水ヘッド１４の操作中に突起部１４ｃを掴むことにより、吐水ヘッド１４の突出部Ｈをより掴み易くすることができ、操作性をより向上させることができる。
【００４７】
つぎに、図１３を参照して、本発明の第２実施形態による水栓装置について説明する。
図１３は、本発明の第２実施形態による水栓装置の概略側面断面図である。
ここで、図１３に示す本発明の第２実施形態による水栓装置１００において、上述した本発明の第１実施形態による水栓装置１の部分と同一部分については、同一の符号を付し、これらの説明については省略する。
図１３に示すように、本発明の第２実施形態による水栓装置１００においては、収納スペースＳ３（収納部）が、棚部１２の上側棚領域Ｓ１内及び下側棚領域Ｓ２内の双方に亘って設けられている点、上述した本発明の第１実施形態による水栓装置１と共通する。
また、上述した本発明の第１実施形態による水栓装置１では、図３に示すように、収納位置Ｐ１の吐水ヘッド１４の形状が、前方且つ下方の突出部Ｈから後方且つ上方の頂部Ｔまでほぼ円筒状に延びている形状である。
これに対し、本発明の第２実施形態による水栓装置１００では、吐水ヘッド１１４の形状が、前方且つ下方の突出部Ｈから後方且つ上方の頂部Ｔまでほぼ円筒形状のみで形成されており、上述した本発明の第１実施形態による水栓装置１の吐水ヘッド１４に比べて、単純な形状である点で、本発明の第１実施形態による水栓装置１の吐水ヘッド１４の形状と異なっている。
【００４８】
図１３に示すように、本発明の第２実施形態による水栓装置１００によれば、収納部（収納スペースＳ３）の収納位置Ｐ１に収納されている状態の吐水ヘッド１１４は、その下面以外の大部分（吐水ヘッド１１４の前面の一部、上面、並びに、両側面の一部）が棚部１２の収納スペースＳ３内の傾斜面１２ｂ、天面１２ｄ、側面（図示せず）等により覆われている。
また、図１３に示すように、この収納位置Ｐ１の吐水ヘッド１４は、棚部１２の上側棚領域Ｓ１内及び下側棚領域Ｓ２内の双方に亘って収納されている。
したがって、本実施形態による水栓装置１００においては、第１実施形態の水栓装置１と同様に、各種機能部を操作する操作部（タッチスイッチ１８）が棚部１２の上側棚領域Ｓ１の前面ａに配置されていたとしても、棚部１２の上側棚領域Ｓ１と下側棚領域Ｓ２とを含めた厚み全体（棚部１２の最下端から最上端までの上下方向の厚み等）を抑制することができる。
さらに、収納位置Ｐ１の吐水ヘッド１１４を壁面６から引き出す際に、吐水ヘッド１１４の少なくとも前方且つ上端部分の頂部Ｔを棚部１２の上側棚領域Ｓ１内からその下方の領域外（下側棚領域Ｓ２内）に移動させるだけで、収納位置Ｐ１の吐水ヘッド１１４を棚部１２の外部の引出可能位置Ｐ２まで容易に移動させることができる。  これにより、吐水ヘッド１１４を棚部１２の外部の引出可能位置Ｐ２に移動させた後は、吐水ヘッド１１４をそのまま前方又は斜め下方に引出操作するだけで、吐水ヘッド１１４の頂部Ｔ等が棚部１２に干渉することなく、確実に引出操作を行うことができるため、引出操作の操作性を向上させることができる。
これらの結果、デザイン性と操作性とを両立させることができる水栓装置１００を提供することができる。
【符号の説明】
【００４９】
１        本発明の第１実施形態による水栓装置
２        洗面化粧台
４        ボウル
６        壁面
６ａ      壁面の開口
８        下部キャビネット
１０        上部キャビネット
１２        棚部
１２ａ      棚部の前面（鉛直面）
１２ｂ      棚部の上側棚領域の傾斜面、収納スペース内の傾斜面
１２ｃ      棚部の下側棚領域の傾斜面
１２ｄ      棚部の収納スペース内の天面
１２ｅ      棚部の収納スペース内の側面
１４        吐水ヘッド
１４ａ      吐水ヘッドの接続部
１４ｂ      吐水ヘッドの上面
１４ｃ      突起部
１６        操作ハンドル（操作部）
１８        タッチスイッチ（操作部）
２０        人体検知センサ（検知部）
２２        吐水口
２４        給水用のホース
２６        固定部材
２６ａ      固定位置切替部
２６ｂ      回動取付部
２６ｃ      内壁面
２８        保持部材
３０        ねじ部材
３２        保持部材の本体
３２ａ      円筒部
３２ｂ      側壁部
３２ｃ      回動部
３２ｄ      ボール取付穴
３２ｅ      接続部
３４        ホースガイド
３６        止め輪
３８        止め輪
４０        ピボットピン
４２        第１凹部
４４        第２凹部
４６        平行ピン
４８        ボール
５０        ボール押え部材
５２        ねじ部材
１００        本発明の第２実施形態による水栓装置
１１４        吐水ヘッド
Ａ１      固定部材の各回動取付部の中心を通る左右方向に延びる中心軸線、吐水ヘッドの回動中心軸線
Ａ２      固定部材及び保持部材のガイド穴の中心を通る前後方向の中心軸線
Ａ３      保持部材の本体の各回動部の回転中心軸線、吐水ヘッドの回動中心軸線
Ａ４      引き出し方向の中心軸線
Ｆ１      傾斜操作力
Ｆ２      引出操作力
Ｇ０      隙間
Ｇ１      ガイド面
Ｇ２      ガイド面
Ｈ        吐水ヘッドの突出部
ｈ１      ガイド穴
ｈ２      ガイド穴
Ｓ１      棚部の上側棚領域
Ｓ２      棚部の下側棚領域
Ｓ３      収納スペース（収納部）
Ｓ４      棚部の下側棚領域の傾斜面における吐水ヘッドの突出部の周辺領域
Ｔ        収納位置の吐水ヘッドの前方且つ上端の頂部
Ｐ１      収納位置
Ｐ２      引出可能位置
Ｑ１      第１固定位置
Ｑ２      第２固定位置
【図１】
2019148063.tif 000003
【図２】
2019148063.tif 000004
【図３】
2019148063.tif 000005
【図４】
2019148063.tif 000006
【図５】
2019148063.tif 000007
【図６】
2019148063.tif 000008
【図７】
2019148063.tif 000009
【図８】
2019148063.tif 000010
【図９】
2019148063.tif 000011
【図１０】
2019148063.tif 000012
【図１１】
2019148063.tif 000013
【図１２】
2019148063.tif 000014
【図１３】
2019148063.tif 000015